(57)【特許請求の範囲】
【請求項１】
複数の機能モジュールを有する情報処理装置における動作制御システムであって、
現在の時刻情報を取得する時計部と、
前記複数の機能モジュールの動作履歴を記録する動作履歴記録部と、
前記複数の機能モジュールそれぞれの使用例に関する情報を、時刻情報と関連付けてチュートリアル情報として記憶するチュートリアル記憶部と、
前記動作履歴を解析し、未使用の機能モジュールを抽出する動作履歴解析部と、
前記動作履歴解析部が抽出した未使用の機能モジュールに基づいて、前記チュートリアル情報を参照して、当該未使用の機能モジュールのチュートリアル情報を取得するチュートリアル取得部と、
ユーザーの予定に関する時刻情報及び予定内容の種別を、スケジュール情報として記憶保持するスケジュール記憶部と、
前記チュートリアル取得部が取得したチュートリアル情報に含まれる情報に基づいて、当該チュートリアル情報の通知を、前記予定として前記スケジュール情報に追加するチュートリアル設定部と、
前記スケジュール情報に基づいて、前記未使用の機能モジュールに関するチュートリアル情報を通知するガイド部と
を備えることを特徴とする情報処理装置の動作制御システム。
【請求項２】
自機の位置を示す位置情報を取得する位置情報取得部をさらに備え、
前記チュートリアル記憶部は、前記複数の機能モジュールそれぞれの使用例に関する情報を、前記時刻情報及び前記位置情報と関連付けてチュートリアル情報として記憶し、
スケジュール記憶部は、ユーザーの予定に関する時刻情報、前記位置情報及び予定内容の種別を、スケジュール情報として記憶保持する
ことを特徴とする請求項１に記載の情報処理装置の動作制御システム。
【請求項３】
前記チュートリアル記憶部及び動作履歴解析部は、通信ネットワーク上に設置されサーバー上に備えられ、
前記チュートリアル取得部は、前記通信ネットワークを通じて、前記動作履歴に基づいて前記前記未使用の機能モジュールの使用例を取得する通信部を有する
ことを特徴とする請求項１に記載の情報処理装置の動作制御システム。
【請求項４】
現在の日にちを含むカレンダー表示機能を有する表示制御部をさらに備え、
前記カレンダー表示機能は、カレンダーにおける前記現在の日にちを境界として、前記カレンダーにおける該現在の日にちよりも前の月日部分に、画像データ蓄積部に格納された画像データを表示し、前記カレンダーにおける該現在の日にちよりも後の月日部分に、前記スケジュール記憶部に記憶されたスケジュール情報を表示させる
ことを特徴とする請求項１に記載の情報処理装置の動作制御システム。
【請求項５】
前記複数の機能モジュールには、画像を撮影する撮像部が含まれ、該撮像部による撮影の動作モードを設定する撮影モード設定部と、
撮影の際に、自機の位置を示す位置情報、及び現在の時刻情報を撮影時情報として取得する撮影時情報取得部と、
前記撮像部が撮影した画像データに、当該画像データの撮影時における前記動作モードの設定、及び前記撮影時情報を、各画像データの内容に関する属性情報として付加する付加情報処理部と、
前記付加情報処理部により付加された属性情報とともに、前記画像データを格納する画像データ蓄積部と、
前記画像データ蓄積部に格納された画像データを、各画像の属性情報に応じて検索して表示する表示制御部と
をさらに備え、
前記撮影の動作モードは、
前記動作履歴記録部は、前記撮影モード設定部が設定した動作モードの履歴を前記動作履歴に含めて記録する
ことを特徴とする請求項１に記載の情報処理装置の動作制御システム。
【請求項６】
人物の顔部分を検出するとともに、検出した該顔部分の画像中における座標位置を算出する顔検出部と、
前記顔検出部が検出した顔部分を特定の形状の画像データに変換するフェイスシール生成部と
をさらに備え、
前記複数の機能モジュールには、前記顔検出部及び前記フェイスシール生成部が含まれ、
前記撮影モード設定部は、前記顔検出部による顔部分の検出処理、及び前記フェイスシール生成部による画像データの変換処理を含む動作モードを選択可能であり、
前記動作履歴記録部は、前記撮影モード設定部が選択した検出処理及び前記変換処理とを含む動作モードの履歴を前記動作履歴に含めて記録する
ことを特徴とする請求項１に記載の情報処理装置の動作制御システム。
【請求項７】
複数の機能モジュールを有する情報処理装置における動作制御方法であって、
予め、前記機能モジュールの使用例に関する情報を、位置情報及び時刻情報と関連付けてチュートリアル情報としてチュートリアル記憶部に記憶しておき、
前記機能モジュールの動作履歴を記録する動作履歴記録ステップと、
前記動作履歴を解析し、未使用の機能モジュールを抽出する動作履歴解析ステップと、
前記動作履歴解析ステップで抽出した未使用の機能モジュールに基づいて、前記チュートリアル情報を参照して、当該未使用の機能モジュールのチュートリアル情報を取得するチュートリアル取得ステップと、
前記チュートリアル取得部が取得したチュートリアル情報に含まれる情報に基づいて、当該チュートリアル情報の通知を、前記予定として前記スケジュール情報に追加するチュートリアル設定ステップと、
前記スケジュール情報に基づいて、前記未使用の機能モジュールに関するチュートリアル情報を通知するチュートリアル開始ステップと
を備えることを特徴とする情報処理装置の動作制御方法。
【請求項８】
前記チュートリアル記憶部には、前記複数の機能モジュールそれぞれの使用例に関する情報を、前記時刻情報及び自機の位置情報と関連付けてチュートリアル情報として記憶しておき、
チュートリアル設定ステップでは、ユーザーの予定に関する時刻情報、前記位置情報及び予定内容の種別を、スケジュール情報として追加する
ことを特徴とする請求項７に記載の情報処理装置の動作制御方法。
【請求項９】
前記チュートリアル記憶部は、通信ネットワーク上に設置されサーバー上に備えられ、
前記動作履歴解析ステップ又は前記チュートリアル取得ステップでは、前記通信ネットワークを通じて、前記サーバーから、前記動作履歴に基づいて前記前記未使用の機能モジュールの使用例を取得する
ことを特徴とする請求項７に記載の情報処理装置の動作制御方法。
【請求項１０】
前記スケジュール情報を一覧表示する表示制御ステップをさらに備え、
前記表示制御ステップでは、現在の日にちを含むカレンダーを表示し、
前記カレンダーの表示では、カレンダーの前記現在の日にちを境界として、前記カレンダーにおける該現在の日にちよりも前の月日部分に、画像データ蓄積部に格納された画像データを表示させ、前記カレンダーにおける該現在の日にちよりも後の月日部分に前記スケジュール記憶部に記憶されたスケジュール情報を表示させる
ことを特徴とする請求項７に記載の情報処理装置の動作制御方法。
【請求項１１】
前記複数の機能モジュールには、画像を撮影する撮像部が含まれ、
前記撮像部による撮影の撮影モードを設定する撮影モード設定ステップと、
撮影の際に、自機の位置を示す位置情報、及び現在の時刻情報を撮影時情報として取得する撮影時情報取得ステップと、
画像を撮影する撮像ステップと、
前記撮像ステップで撮影した画像データに、当該画像データの撮影時における前記撮影モードの設定、及び前記撮影時情報を、各画像データの内容に関する属性情報として付加する付加情報処理ステップと、
前記付加情報処理ステップで付加された属性情報とともに、前記画像データを画像データ蓄積部に格納する画像データ格納ステップと、
前記画像データ蓄積部に格納された画像データを、各画像の属性情報に応じて検索して表示する表示制御ステップと
を備えることを特徴とする請求項７に記載の情報処理装置の動作制御方法。
【請求項１２】
前記画像データ格納ステップに先行させて、
人物の顔部分を検出するとともに、検出した該顔部分の画像中における座標位置を算出し、
検出された前記顔部分を特定の形状の画像データに変換し、
前記撮影モード設定ステップでは、前記顔部分の検出処理、及び前記画像データの変換処理を含む撮影モードを選択可能であり、
前記動作履歴記録ステップでは、前記撮影モード設定ステップで選択した検出処理及び前記変換処理とを含む撮影モードの履歴を前記動作履歴に含めて記録する
ことを特徴とする請求項１１に記載の情報処理装置の動作制御方法。
【発明の詳細な説明】
【技術分野】
【０００１】
本発明は、携帯電話端末やＰＤＡ（Personal Digital Assistance）など複数の機能モジュールを有する情報処理装置の動作制御システム及び動作制御方法に関する。
【背景技術】
【０００２】
近年、無線通信による情報通信を行う携帯電話などの携帯端末装置が普及されており、携帯端末機器は、通話機能だけでなく、メールの送受信機能、デジタルカメラ機能、音楽再生機能、テレビ受信機能、スケジュール管理機能など多機能を備えるようになっている。【０００３】
これらの携帯端末機器の多機能化により、携帯端末自体の利便性は向上しているが、該機器の操作が複雑化され、その機能全てを使いこなすことは困難となっている。【０００４】
また、その操作などを説明する取扱説明書も存在するが、膨大な量となっている。したがって、取扱説明書を一読することや、不明点の説明箇所を探し出すことも困難となっている。特に携帯電話等では、使用するユーザーは幅広い年齢層に使用されるため、年齢層の高いユーザーについては、様々な機能を使用することが困難であった。【０００５】
これらに応える技術として、携帯電話に設けられたヘルプボタンを押し、携帯電話のサービスを提供しているガイダンスセンターを呼び出してオペレーターによる音声ガイダンスを行うシステムも提案されている（特許文献１）。
【先行技術文献】
【特許文献】
【０００６】
【特許文献１】特開２００２−１４２０２８号公報
【発明の概要】
【発明が解決しようとする課題】
【０００７】
しかしながら、特許文献１においては、直接オペレーターによるガイダンスにより操作方法や、携帯端末に含まれる機能の不明点を解消することができるが、ユーザーが認識していない機能についてまで案内することはない。特に、年齢層の高いユーザーについては、どのような機能があるのか不明であるので、使用されない機能が多数存在しているという問題があった。【０００８】
そこで、本発明は、多機能の情報処理装置において、未使用の機能を、チュートリアルによりユーザーに告知及び操作案内をすることで、システムの機能を最大限利用することを促すことのできる情報処理装置の動作制御システム及び動作制御方法を提供することを課題とする。
【課題を解決するための手段】
【０００９】
上記課題を解決するために、本発明は、複数の機能モジュールを有する情報処理装置における動作制御システムであって、
現在の時刻情報を取得する時計部と、
複数の機能モジュールの動作履歴を記録する動作履歴記録部と、複数の機能モジュールそれぞれの使用例に関する情報を、時刻情報と関連付けてチュートリアル情報として記憶するチュートリアル記憶部と、動作履歴を解析し、未使用の機能モジュールを抽出する動作履歴解析部と、動作履歴解析部が抽出した未使用の機能モジュールに基づいて、チュートリアル情報を参照して、当該未使用の機能モジュールのチュートリアル情報を取得するチュートリアル取得部と、ユーザーの予定に関する時刻情報及び予定内容の種別を、スケジュール情報として記憶保持するスケジュール記憶部と、チュートリアル取得部が取得したチュートリアル情報に含まれる情報に基づいて、当該チュートリアル情報の通知を、予定としてスケジュール情報に追加するチュートリアル設定部と、スケジュール情報に基づいて、未使用の機能モジュールに関するチュートリアル情報を通知するガイド部とを備える。
【００１０】
他の本発明は、複数の機能モジュールを有する情報処理装置における動作制御方法であって、予め、機能モジュールの使用例に関する情報を、位置情報及び時刻情報と関連付けてチュートリアル情報としてチュートリアル記憶部に記憶しておき、
（１）機能モジュールの動作履歴を記録する動作履歴記録ステップと、
（２）動作履歴を解析し、未使用の機能モジュールを抽出する動作履歴解析ステップと、
（３）動作履歴解析ステップで抽出した未使用の機能モジュールに基づいて、チュートリアル情報を参照して、当該未使用の機能モジュールのチュートリアル情報を取得するチュートリアル取得ステップと、
（４）チュートリアル取得部が取得したチュートリアル情報に含まれる情報に基づいて、当該チュートリアル情報の通知を、予定としてスケジュール情報に追加するチュートリアル設定ステップと
（５）スケジュール情報に基づいて、未使用の機能モジュールに関するチュートリアル情報を通知するチュートリアル開始ステップと
を備える。
【００１１】
これらの発明によれば、ユーザー毎に異なる未使用の機能の案内及び操作説明等を、使用例に関する情報としてスケジュールに追加するので、ユーザーが不知又は不明であった機能の操作レッスンを、ユーザーの予定としてスケジュールすることができる。この結果、適切な時間帯においてチュートリアルモードを自動的に開始させ、未使用であった機能の利用をユーザーに促すことができる。【００１２】
上記発明において、自機の位置を示す位置情報を取得する位置情報取得部をさらに備え、チュートリアル記憶部は、複数の機能モジュールそれぞれの使用例に関する情報を、時刻情報及び位置情報と関連付けてチュートリアル情報として記憶し、スケジュール記憶部は、ユーザーの予定に関する時刻情報、位置情報及び予定内容の種別を、スケジュール情報として記憶保持することが好ましい。【００１３】
この場合には、自機の位置情報も加味して、その場所に即した適切なチュートリアルモードを自動的に開始させることができる。【００１４】
上記発明において、チュートリアル記憶部及び動作履歴解析部は、通信ネットワーク上に設置されサーバー上に備えられ、チュートリアル取得部は、通信ネットワークを通じて、動作履歴に基づいて未使用の機能モジュールの使用例を取得する通信部を有していることが好ましい。【００１５】
この場合には、機能モジュールに関するユーザー毎の動作履歴から、撮影時の位置情報、時刻情報等を、サーバー上に集約することができるので、情報を分析し、個々のユーザーに対する未使用の機能モジュールの使用例を、種々設定することができ、よりユーザーに適切な未使用の機能モジュールの使用例を提供することが可能となる。また、サーバー上において動作履歴の解析や、チュートリアルのためのコンテンツデータを蓄積するため、ユーザーによる処理負担の軽減及びメモリ容量の有効利用を図ることができる。【００１６】
上記発明において、カレンダー表示機能は、カレンダーにおける現在の日にちを境界として、カレンダーにおける該現在の日にちよりも前の月日部分に、画像データ蓄積部に格納された画像データを表示し、カレンダーにおける該現在の日にちよりも後の月日部分に、スケジュール記憶部に記憶されたスケジュール情報を表示させることが好ましい。
【００１７】
この場合には、現在の日にちより前の月日部分は、月日毎の画像データの閲覧することができるので、画像データ検索において多数の画像データから検索する手間を省くことができ、目的とする画像を、容易に発見することができる。また、月日毎のユーザーの行動も閲覧することができるので、日記帳としての機能を持つことができる。一方、現在の日にちよりも後の月日部分については、ユーザーの予定を記載及び表示することが可能なので、手帳としてのスケジュール機能を持つことができる。そして、これらの表示は、現在の日にちを境界として１つのカレンダーに表示されるため、日記帳と手帳のＧＵＩを１つにまとめることができ、見やすさを向上させることができるとともに、表示面積を縮小でき、限られた面積の表示部を有効に活用することができる。【００１８】
上記発明において、複数の機能モジュールには、画像を撮影する撮像部が含まれ、撮像部による撮影の動作モードを設定する撮影モード設定部と、撮影の際に、自機の位置を示す位置情報、及び現在の時刻情報を撮影時情報として取得する撮影時情報取得部と、撮像部が撮影した画像データに、当該画像データの撮影時における動作モードの設定、及び撮影時情報を、各画像データの内容に関する属性情報として付加する付加情報処理部と、付加情報処理部により付加された属性情報とともに、画像データを格納する画像データ蓄積部と、画像データ蓄積部に格納された画像データを、各画像の属性情報に応じて検索して表示する表示制御部とをさらに備え、撮影の動作モードは、動作履歴記録部は、撮影モード設定部が設定した動作モードの履歴を動作履歴に含めて記録していることが好ましい。【００１９】
この場合には、撮影した画像について、撮影時の撮影モード情報、自機の位置情報及び撮影時刻情報とを画像データに付加することができるので、その付加情報に応じた各データの属性情報毎に、画像データを検索して表示させることができ、ユーザー自身による画像データ分類作業の負担を軽減することができる。特に画像データの付加情報は、動作モード情報、位置情報、撮影時刻情報とを関連付けることができるので、より詳細な画像データの検索及び閲覧が可能となる。そして、このような機能をチュートリアルの一環として、ユーザーに利用を促すことができる。【００２０】
上記発明において、人物の顔部分を検出するとともに、検出した顔部分の画像中における座標位置を算出する顔検出部と、顔検出部が検出した顔部分を特定の形状の画像データに変換するフェイスシール生成部とをさらに備え、複数の機能モジュールには、顔検出部及びフェイスシール生成部が含まれ、撮影モード設定部は、顔検出部による顔部分の検出処理、及びフェイスシール生成部による画像データの変換処理を含む動作モードを選択可能であり、動作履歴記録部は、撮影モード設定部が選択した検出処理及び変換処理とを含む動作モードの履歴を動作履歴に含めて記録していることが好ましい。
【００２１】
この場合には、ユーザーが撮影した画像の人物の顔部分を部分的に検出し、データとして記憶することができるので、各ユーザーが人物の顔部分を様々な用途に使用することができる。さらに、検出処理及び変換処理とを含む動作モードについても動作履歴記録部に記憶していることで、動作モードの撮影時のおける自動設定や、未使用時のチュートリアル設定も可能となる。
【発明の効果】
【００２２】
以上述べたように、この発明によれば、携帯電話端末やＰＤＡなど、多機能の情報処理装置において、未使用の機能を、チュートリアルによりユーザーに告知及び操作案内をすることで、装置の機能を最大限利用することを促すことができる。この結果、様々なコンテンツの使用ユーザーを新規に獲得できることが期待される。
【図面の簡単な説明】
【００２３】
【図１】実施形態に係る画像撮影システムの全体構成を示す概念図である。
【図２】実施形態に係る携帯端末の外観を示す正面図である。
【図３】（ａ）は、実施形態に係る携帯端末のスケジュール機能及びチュートリアル機能に係る内部構成を示すブロック図であり、（ｂ）は、携帯端末の画像撮影系のモジュールを示すブロック図である。
【図４】実施形態に係るスケジュール機能及びチュートリアル機能の動作を示すフローチャート図である。
【図５】実施形態に係る画像データを格納するフォルダの表示画面を示す説明図である。
【図６】実施形態に係るカレンダー機能の表示画面を示す説明図である。
【図７】実施形態に係るスケジュール機能の画面遷移を示す説明図である。
【図８】実施形態に係るチュートリアル機能の画面遷移を示す説明図である。
【図９】実施形態に係るチュートリアル機能の他の画面遷移を示す説明図である。
【図１０】実施形態に係るフェイスシール機能の説明図である。
【図１１】本実施形態に係る画像撮影機能の動作を示すフローチャート図である。
【図１２】実施形態に係る合成画像撮影システムの動作を示すフローチャート図である。
【図１３】実施形態に係るＧＵＩの操作例を示す説明図である。
【図１４】実施形態に係るＧＵＩの他の表示例を示す説明図である。
【発明を実施するための形態】
【００２４】
以下に添付図面を参照して、本発明に係る画像撮影システムの実施形態を詳細に説明する。図１は、本実施形態に係る画像撮影システムの全体構成を示す概念図であり、図２は、携帯端末１の外観を示す正面図である。
【００２５】
本実施形態において画像撮影システムは、図１に示すように、ユーザーが使用するカメラ付き携帯端末１と、インターネット２上に設置されたコンテンツサーバー３とから概略構成される。なお、本実施形態では、カメラ付き携帯端末１を複数の機能モジュールを有する情報処理装置の一例として説明する。
【００２６】
コンテンツサーバー３は、本実施形態では、付加的なコンテンツやチュートリアル情報の配信を行うサーバーであり、例えば、Ｗｅｂサーバー等で構成される。このコンテンツサーバーとしては、ＷＷＷ（World Wide Web）等のドキュメントシステムにおいて、ＨＴＭＬ（HyperText Markup Language）ファイルや画像ファイル、音楽ファイルなどの情報送信を行うサーバーコンピュータ或いはその機能を持ったソフトウェアであり、ＨＴＭＬ文書や画像などの情報を蓄積しておき、携帯端末１からの要求に応じて、インターネット２を通じて、これらの情報を送信する。なお、このコンテンツサーバー３によって配信されるコンテンツデーターは、その全部または一部を携帯端末１に予めインストールして、携帯端末１内に保存しておくこともでき、携帯端末１側で自機内のコンテンツデータを検索し、自機内に保存されていない場合に、コンテンツサーバー３に対して配信要求を行い、ダウンロードするようにしてもよい。
【００２７】
また、このコンテンツサーバー３は、位置情報に地域画像データ等のコンテンツデータを関連付けて蓄積する地域画像蓄積部３１を備え、地域画像として各地域の名所や名物の背景データや壁紙データ、その土地々々のキャラクターを描いた「顔出し看板」のようなフレームやテンプレートなど、各地域独自の地域画像データを含むコンテンツをその地域限定で配信する地域画像配信サーバーとしての機能を果たす。
【００２８】
なお、この各地域独自のコンテンツとしては、上記地域画像データの他、その地域に関するトピックス（観光スポット、特産物、店舗情報、その他のニュース）をランキングした「おすすめ情報」や、地図データが含まれる。
【００２９】
カメラ付き携帯端末１は、無線通信を利用した、携帯可能な電話機であり、基地局等の中継点と携帯電話機が無線で通信し、通話やデータ通信等の通信サービスを移動しつつ受けることができる。この携帯電話機の通信方式としては、例えば、ＦＤＭＡ方式、ＴＤＭＡ方式、ＣＤＭＡ方式、Ｗ−ＣＤＭＡの他、ＰＨＳ（Personal Handyphone System）方式等が挙げられる。また、この携帯電話機は、デジタルカメラ機能、アプリケーションソフトの実行機能、或いはＧＰＳ（Global Positioning System）機能等の機能が搭載され、携帯情報端末（ＰＤＡ）としての機能も果たす。
【００３０】
このカメラ機能は、光学的にデジタル画像を撮影する撮像機能である。また、位置情報取得機能は、撮影時における自機の位置を示す位置情報を取得し、記録する機能であり、この位置情報取得機能としては、図１に示すように、例えば、ＧＰＳのように、衛星２１からの信号によって自機の位置を検出する方法や、携帯電話の無線基地局２２からの電波強度などによって位置を検出する方法が考えられる。
【００３１】
そして、この携帯端末１は、図２に示すように、ユーザーが入力操作を行うための操作ボタンや等をジョグダイヤル、タッチパネルなどの操作デバイス１１６を備えるとともに、画像表示部１１３を備えており、この画像表示部１１３には、ＧＵＩとしてメイン画面４０１と、カレンダーＵＩ４０２が含まれている。そして、特に本実施形態において携帯端末１は、カレンダーＵＩ４０２を用いたスケジュール機能及びチュートリアル機能を備えている。
【００３２】
図３（ａ）は、携帯端末１のスケジュール機能及びチュートリアル機能に係る内部構成を示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００３３】
携帯端末１は、スケジュール及びチュートリアル系のモジュールとして、スケジュール記憶部１２１と、データ蓄積部１２２と、動作履歴記録部１２３と、チュートリアル記憶部１２４と、チュートリアル設定部１１４とを備えている。
【００３４】
データ蓄積部１２２は、各種データを蓄積する記憶装置であり、撮影された画像データＤ１や、コンテンツサーバー３から取得された加工用データ（地域画像等）、これらが合成された合成画像データ、及び各画像データＤ１に加工を施した編集データ（例えば、フェイスシール）などが蓄積されている。また、このデータ蓄積部１２２では、付加情報処理部１０５により付加された属性情報に応じて、画像データＤ１を、複数のフォルダ１２２ａ〜ｃに振り分けて格納する。
【００３５】
このフォルダ１２２ａ〜ｃは、図５（ａ）に示すように、テーマ別に画像データを格納できるように、フォトアルバムに見立てたフォルダがアイコン表示され、図５（ｂ）に示すように、任意のフォルダをクリックすることによって、フォルダ内に収納された画像データを閲覧することができる。なお、この画像データの閲覧は、フォルダ単位での閲覧の他に、上述した属性情報（タグ情報）をキーワードとして参照し、同一・類似の属性情報で検索し、関連のある画像データを検出し、閲覧することもできる。また、画像データ閲覧用の表示方式としては、データ容量の小さいサムネイル用の低解像度の画像データを表示するようにしてもよい。
【００３６】
このフォトアルバムは、タグ情報に従って、自動的に画像を分類してアルバム化したものであり、タグ情報に含まれる各画像の属性に応じて、各画像を分類する。なお、同一の画像が複数のフォルダ（アルバム）内に格納されているように見えるが、これは、同一の画像データについて、そのタグ情報の数だけ、複数のアルバムに分類されているためである。
【００３７】
このフォトアルバムの種類としては、上記タグ情報に記述される項目毎に分類することができ、例えば、スケジュールのカテゴリー（「旅行」など）の期間中に撮影されものを纏めたり、撮影モード（カメラの種類）毎に纏めたり、画像に写っている人やその属性（例えば、「ファミリー」など）で纏めたり、カレンダーの日付（誕生日などの特定の日にち）で纏めたりすることができる。
【００３８】
スケジュール記憶部１２１は、ユーザーの予定に関する位置情報、時刻情報及び予定内容の種別を、スケジュール情報Ｄ２として記憶保持する記憶装置である。このスケジュール情報は、各ユーザーがカスタマイズ可能であり、図６（ａ）〜（ｃ）に示すようなカレンダーＵＩ４０２に表示される。具体的に、表示制御部１１２によるカレンダーＵＩ４０２は、現在の日にちを含むカレンダー表示機能であり、現在の日にちを示すグリッド４０５を境界として、現在の日にちよりも前の月日部分４０４を、データ蓄積部１２２に格納された画像データＤ１の一覧表示とし、現在の日にちよりも後の月日部分４０６に、スケジュール記憶部１２１に記憶されたスケジュール情報を表示する。
【００３９】
また、このスケジュール情報Ｄ２としては、例えば、ユーザーが毎日の食事を画像データとともに記録する「毎日のごはん」計画を立てていたとすると、図７（ａ）に示すように、その計画に関するフォルダ１２２ｃを作成することができる。このフォルダ１２２ｃには、図７（ｂ）に示すように、一日三回の食事の時間帯や自宅の位置情報に関連付けられてスナップ写真撮影モードが、モード設定テーブルＴ１に記録される。そして、スケジュールに記録された時刻及び場所になったときに、図７（ｃ）に示すような、ポップアップメッセージ４０７が表示され、自動的にモード設定テーブルＴ１が読み出されて、図７（ｄ）に示すような、食事のスナップ写真撮影に適した撮影モードが準備される。
【００４０】
チュートリアル記憶部１２４は、撮影モードの使用例に関する情報を、位置情報及び時刻情報と関連付けてチュートリアル情報１２４ａとして記憶する記憶装置である。このチュートリアル記憶部１２４に蓄積されているチュートリアルは、本実施形態では、撮影機能に関する使用方法などを解説した教材であり、動画や静止画、文章テキスト、及び携帯端末１の各機能モジュールを実行させるスクリプト（プログラム）を含むコンテンツデータである。
【００４１】
また、このチュートリアルとしては、撮影モードの使用例に関する情報の他、お薦めの機能についての説明であったり、インターネット上から配信される情報データ（お薦めリサーチ）の表示であってもよい。このお薦めリサーチ機能としては、例えば、ＧＰＳなどの位置情報取得手段を用いて現在位置を測定し、現在地近辺のお薦めスポットや、店舗情報、グルメ情報、特産品などの地域情報を表示出力するものであってもよい。この地域情報は、コンテンツサーバー３から配信されるご当地情報であってもよく、また、その重要度（お薦め度）に応じてランキングして表示されていることが好ましい。このランキングとしては、映画興行成績や、ＣＤ、着うたのダウンロード数、テレビ視聴率、検索数を含めてもよい。
【００４２】
さらに、このチュートリアルとしては、スケジュールに登録されている予定の内容（場所、日時、イベント内容）に応じて、そのシチュエーションに適した機能を選択して、推薦する形式で、その使用例を説明するようにしてもよい。また、このスケジュールと連携した情報としては、そのスケジュールの予定の内容に基づいて、関連する情報データをインターネット上から収集し、プッシュ情報として表示するようにしてもよい。
【００４３】
また、このチュートリアルとしては、当該携帯端末に搭載された他の機能の使用を推奨し、その使用方法を説明するものであってもよい。例えば、携帯端末に備えられた通信機能及びブラウザ機能を用いて、チケットの購入や、商品の購入、コンテンツのダウンロードなどの操作手順を説明する。これらチケットや、商品、コンテンツについては、上述したランキング表示機能と連動させて、お薦めリサーチの結果として表示させてもよい。
【００４４】
本実施形態では、このチュートリアルのスクリプトが実行されると、図８（ａ）及び図９（ｃ）に示すような、ポップアップ４０７により文字列が表示され、動画や静止画によるガイダンス６０１及びスケジュールの通知ポップアップ画面６０２ｃが表示されるとともに、キャラクター６０２ｂによる吹出６０２ａなど、文字情報や音声出力がユーザーの応答操作に従って、使用例の解説が対話形式で進行される。
【００４５】
また、チュートリアルが上記お薦めリサーチであるときには、自動的にブラウザ機能が起動し、インターネットなどにアクセスするか、或いは予め本体内蓄積されたローカルの情報データにアクセスし、お薦めの機能の推奨や、説明、関連情報（ランキング情報等）の表示を実行する。
【００４６】
図８及び図９に示した例では、カメラ機能の使用を促すチュートリアル情報が、起動され、ユーザーの操作を誘導しつつ、カメラ撮影画面を起動している。なお、図８に示すように、ここでは、チュートリアル情報がコンテンツサーバー３からプレゼントとして配信された場合を例としており（図８（ａ））、「カメラで遊ぼう」というテーマに則ったスケジュールが組まれ、このチュートリアル専用のフォルダ１２２が生成されている（図９（ａ）及び図９（ｂ））。スケジュールの到来により（図８（ｂ）又は図９（ｃ））、キャラクター６０２ｂによる操作の誘導が開始され、ユーザーの応答操作に従って、「カメラ撮影初級編（図８（ａ））」、「露出補正（図９（ｄ））」の操作レッスンが対話形式で進行されている。
【００４７】
そして、このようなチュートリアルは、ユーザー操作の履歴を解析し、未使用の機能に対して実行されるようになっており、その実行は、チュートリアル設定部１１４により設定される。また、チュートリアルの実行としては、スケジュールに登録された予定の内容を周期的に監視し、スケジュールに登録された予定の時刻になった際に、そのスケジュール時間のアラートともに、お薦めの機能の説明や、お薦めリサーチによる関連情報の表示を行う。また、このチュートリアルの実行時に、撮影時情報取得部１０２から現在時刻や現在位置を取得し、そのシチュエーション（時刻、場所等）に応じた機能の説明や、お薦めリサーチによる関連情報の表示を行ってもよい。
【００４８】
チュートリアル設定部１１４は、チュートリアル取得部１１４ａが取得したチュートリアル情報１２４ａに含まれる位置情報、時刻情報、及び使用例に応じた予定内容の種別を、ユーザーの予定としてスケジュール情報に追加するモジュールである。本実施形態では、チュートリアル取得部１１４ａと、動作履歴解析部１１４ｂとを有する。動作履歴解析部１１４ｂは、撮影モードの履歴を解析し、未使用の撮影モードを抽出するモジュールである。チュートリアル取得部１１４ａは、動作履歴解析部１１４ｂが抽出した未使用の撮影モードや、スケジュール１２１に登録された予定の内容、撮影時情報取得部１０２が取得したシチュエーションに応じた機能に基づいて、チュートリアル情報１２４ａを参照して、当該未使用の撮影モードやその他の機能のチュートリアルを取得するモジュールである。
【００４９】
動作履歴解析部１１４ｂは、撮影モードの履歴を解析し、未使用の撮影モードを抽出するモジュールである。チュートリアル取得部１１４ａは、動作履歴解析部１１４ｂが抽出した未使用の撮影モードに基づいて、チュートリアル情報１２４ａを参照して、当該未使用の撮影モードのチュートリアルを取得するモジュールである。
【００５０】
動作履歴記録部１２３は、撮影モード設定部１０４が設定した撮影モードの履歴をログデータＤ３として記録する記憶装置であり、ユーザー操作に基づくモード設定の履歴がログデータＤ３として蓄積される。
【００５１】
（スケジュール機能及びチュートリアル機能による制御方法）
以上の構成を有するスケジュール機能及びチュートリアル機能を動作させることによって、本発明の動作制御方法を実施することができる。図４は、本実施形態に係るスケジュール機能及びチュートリアル機能の動作を示すフローチャート図である。
【００５２】
先ず、図４（ａ）に示すように、チュートリアルを設定するにあたり、定期的に未使用の機能モジュールを抽出する。具体的には、ユーザーがいずれかの機能モジュールを使用する毎に、その使用された機能モジュールのログデータＤ３を逐次記録しておき、蓄積されたログデータＤ３を動作履歴記録部１２３から読み出し（Ｓ１０１）、動作履歴の解析を実行する（Ｓ１０２）。
【００５３】
次いで、ステップＳ１０２で抽出した未使用の機能モジュールに基づいて、チュートリアル情報を参照して、当該未使用の機能モジュールの使用例を選択する（Ｓ１０３）。そして、ステップＳ１０３で選択されたチュートリアル情報に含まれる位置情報、時刻情報、及び使用例に応じた予定内容の種別を、ユーザーの予定としてスケジュール情報Ｄ２に追加する（Ｓ１０４）。なお、本実施形態では、チュートリアル情報は、自機の位置情報とも関連付けがなされており、チュートリアル設定ステップでは、ユーザーの予定に関する時刻情報、位置情報及び予定内容の種別を、スケジュール情報Ｄ２として追加する。
【００５４】
その後、スケジュール情報Ｄ２を更新する（Ｓ１０５）。この更新されたスケジュール情報Ｄ２は、図８（ａ）に示すように、予定内容の種別に応じたアイコン表示によって、カレンダーＵＩで一覧表示することができる。具体的に、このカレンダーの表示では、現在の日にちを境界として、現在の日にちよりも前の月日部分を、データ蓄積部１２２に格納された画像データＤ１の一覧表示とし、現在の日にちよりも後の月日部分をスケジュール記憶部１２１に記憶されたスケジュール情報Ｄ２の表示とする。
【００５５】
そして、このように設定されたチュートリアルは、以下のようにして、ユーザーのスケジュールに組み込まれ、実行される。図４（ｂ）は、スケジュール（チュートリアル）による動作制御の手順を示すフローチャート図である。
【００５６】
先ず、ループ処理により周期的に、自機の位置情報及び現在の時刻情報を取得するとともに（Ｓ２０１）、スケジュール情報Ｄ２を参照し（Ｓ２０２）、現在、スケジュールされた場所・時刻にあるか否か、或いは予定外の場所・時刻にユーザーが自主的に操作を開始したか否かを判断する（Ｓ２０３及びＳ２０４）。ユーザーが操作をせず、所定の時刻が到来しない限り、待機状態となる（Ｓ２０３及びＳ２０４における“Ｎ”）。
【００５７】
なお、ここでは、未使用の機能モジュールに対するチュートリアルが予定として設定されており、このステップＳ２０４におけるスケジュールには、上述した操作レッスンのチュートリアル開始の予定が含まれている。すなわち、チュートリアル情報１２４ａには、例えば、未使用の撮影モードの使用例に関する情報が、位置情報及び時刻情報と関連付けて記憶されており、このチュートリアル情報１２４ａに含まれる位置情報、時刻情報、及び使用例に応じた予定内容の種別が、ユーザーの予定としてスケジュール情報に追加されることによって、未使用の撮影モードの操作レッスンが、ユーザーの予定としてスケジュールされている。
【００５８】
そして、予定の時刻が到来する前に、ユーザーも自主的な撮影開始操作があった場合には（Ｓ２０３における“Ｙ”）、ユーザーが自主的に操作した機能モジュールが実行され（Ｓ２０５及びＳ２０７）、その動作履歴がログデータＤ３に追記される（Ｓ２０８）。
【００５９】
一方、ステップＳ２０４において、スケジュールされた場所・時刻となったときには（ステップＳ２０４における“Ｙ”）、自動的に未使用の機能モジュールを起動するとともに、スケジュール情報に基づいて、複数の機能モジュールの使用例を通知し、未使用の機能モジュールの使用を促す（Ｓ２０６）。そして、その機能モジュールに対する操作があり、実行されたときには（Ｓ２０７）、その動作履歴をログデータＤ３に追記する（Ｓ２０８）。
【００６０】
（画像撮影機能）
携帯端末１は、機能モジュールを多数有しており、この多機能モジュールの１つとして画像撮影機能が備えられている。図３（ｂ）は、画像撮影系のモジュールを示すブロック図である。
【００６１】
詳述すると、図３（ｂ）に示すように、画像撮影系のモジュールは、撮像部１０６と、シャッター制御部１０７と、顔検出部１０９と、撮影モード設定部１０４と、付加情報処理部１０５と、撮影時情報取得部１０２と、撮影時設定記憶部１０３と、データ蓄積部１２２とを備えている。
【００６２】
撮像部１０６は、光学的にデジタル画像を撮影するモジュールであり、シャッター制御部１０７からの制御に応じて撮像処理を実行し、撮影された画像を画像データＤ１としてデータ蓄積部１２２に蓄積する。なお、シャッター制御部１０７は、操作信号取得部１０８を通じて、操作デバイスからユーザー操作に基づく操作信号が入力されて撮影処理を実行するが、例えば、顔検出部１０９内の表情認識部１０９ａが、被写体の笑顔など、特定の表情を認識した瞬間に、自動的に撮影処理を実行する自動撮影モードを付加してもよい。
【００６３】
付加情報処理部１０５は、撮像部１０６が撮影した画像データＤ１に属性情報をタグ情報として付加するモジュールであり、撮影モード設定部１０４から取得した当該画像データＤ１の撮影時における撮影モード設定と、撮影時情報取得部１０２から取得した撮影時情報（位置情報、時刻など）を、各画像データＤ１の内容に関する属性情報として付加する。このタグ情報の付加方式としては、画像データＤ１内に直接保持させるか、画像データＤ１に関連づけられた管理データ（メタデータ）として別ファイルデータとすることが考えられる。
【００６４】
また、このタグ情報には、撮影した画像データの属性情報に関連づけて、その撮影時刻に対応するスケジュールの内容（場所、参加者、イベント内容）を記録することができる。さらに、このタグ情報としては、画像に写っている人物の顔を認識し、その顔の特徴を含めるようにしてもよい。この顔の特徴は、例えば、アドレス帳に設定されているフェイスシール（顔フォト情報）などを参照して、人物を特定し、アドレス帳などに関連づけて記録するようにしてもよい。
【００６５】
また、この顔認識に際し、笑顔などの表情を認識するようにし、その表情をタグ情報に含めるようにしてもよい。この場合には、例えば、笑顔認識で撮影した画像を「スマイル」というタグ情報により分類し、笑顔の画像が集合されたアルバムを自動生成することができる。
【００６６】
なお、このタグ情報は、画像毎に一覧表示することが可能であり、ユーザー操作により、変更、削除、追加等の編集を行うことができる。そして、タグ情報に含まれたこれらの属性情報は、当該画像のアルバム分類や、電子メールに添付して送信する際のメール自動生成などに利用することができる。
【００６７】
撮影モード設定部１０４は、撮像部１０６による撮影の撮影モードを設定するモジュールである。この撮影モードとしては、シャッター速度や露出（絞り）、焦点距離、フラッシュの有無、フィルターなどの設定があり、具体的には、ポートレートモード（人物がひきたつよう、絞りを調整して背景を少しぼかして撮影）、風景モード（近距離から遠距離まで均一にピントが合うように調整して撮影：複数の被写体が集合した記念写真なども含まれる）、クローズアップモード（被写体に接近して撮影）、スポーツモード（シャッター速度を高速にして撮影：連写撮影なども含まれる）、夜景ポートレート（夜景をバックの人物撮影など、中心となる被写体など局所的な光量に適合させてシャッター速度や絞りを調整）、ストロボ発光禁止モード（屋外での撮影）などが挙げられる。また、この撮影モードに含まれる基本的な設定として、画像サイズや、画質（解像度）、保存先（本体又は記録メディアなど）の設定が含まれる。
【００６８】
なお、この撮影モードは、ユーザーの理解を容易にするために、例えば、適した撮影設定や機能の選択（組み合わせ）パターンをカメラの種類として表示し、選択させるようにしてもよい。例えば、搭載されている全ての撮影機能をユーザーが自分で設定できるモードを「こだわりプロカメラ」としたり、高感度設定で、夜間や屋内での撮影を行うモードを「高感度カメラ」としたり、肌色を補正する機能を備え、撮影後にフレームを付けたり文字や絵を書込ができるモードを「プリクラカメラ」としたり、撮影した画像を変形したり、他の画像を合成したりするモードを「パーティーカメラ」としたり、セピア調や油絵タッチ、疑似魚眼レンズ、フィルター加工などのエフェクト処理を行えるモードを「アートカメラ」としたり、二次元バーコードやＱＲコードの解析や、OCR等の文字認識機能、顔認識機能など画像解析を行えるモードを「サーチカメラ」としたり、動画の撮影や撮影したの動画・画像のアップロードを実行するモードを「ビデオカメラ」としたりすることができる。その他の撮影モードの表示としては、撮影した画像にコメントを付加してインターネット上のＷｅｂサイトにアップロードするモードを「ブログカメラ」としたり、犬や猫などの動物の鳴き声を出力して、動物をカメラに注目させるモードとして「ペットカメラ」や、料理など、静物の近距離撮影に適したモードを「お料理カメラ」としたりすることもできる。
【００６９】
なお、上記撮影モード設定部１０４は、モード設定を参照する際に、現在時刻や、スケジュール情報に含まれる位置情報、時刻情報及び予定内容の種別に基づいて、撮像部１０６に対する撮影モードの設定を補正することができ、また、よりよい撮影モードの設定を推奨するようなメッセージを表示することもできる。例えば、現在時刻が、スケジュールに記載された旅行中であれば、ポートレートモードの設定をデフォルトとしたり、パーティー中であれば、「パーティーカメラ」や「プリクラカメラ」などを優先的に設定したり、使用を推奨するメッセージを出力する。また、現在時刻が夜間であれば、上記「高感度カメラ」を推奨するようにしてもよい。さらに、この撮影モードの設定と合わせて、ご当地フレームの利用や、ＧＰＳによるナビゲーション機能の利用を推奨するなど、他の機能を推奨するメッセージを出力するようにしてもよい。
【００７０】
撮影時設定記憶部１０３は、撮影モード設定部１０４が撮影モードの設定を行う際に、場所、時刻に応じた撮影モードを選択するためのテーブルデータを記憶保持する不揮発性のメモリなどの記憶装置である。具体的には、位置情報及び時刻情報と、撮影モードとを関連付けたテーブルデータを、モード設定テーブルＴ１として記憶しており、撮影モード設定部１０４からの要求に応じて、位置情報及び時刻情報とからモード設定テーブルＴ１を参照し、撮影に用いるべき撮影モードを読み出して、撮影モード設定部１０４に送出する。撮影モード設定部１０４は、撮影時情報取得部１０２が取得した撮影時情報に応じて、モード設定を参照し、参照された撮影モードを撮像部１０６に対して設定する。
【００７１】
撮影時情報取得部１０２は、本実施形態では、撮影の際に、自機の位置を示す位置情報を取得する位置情報取得部１０２ａと、及び現在の時刻情報を撮影時情報として取得する時計部１０２ｂとを有しており、撮影完了時に、付加情報処理部１０５から要求に応じて、位置情報取得部１０２ａ及び時計部１０２ｂから取得した各データを撮影時情報として付加情報処理部１０５に入力する。
【００７２】
位置情報取得部１０２ａは、撮影時における自機の位置を示す位置情報を取得し、記録するモジュールであり、例えば、ＧＰＳのように、衛星２１からの信号によって自機の位置を検出したり、携帯電話の無線基地局２２からの電波強度などによって位置を検出する。時計部１０２ｂは、現在時刻を測定するモジュールであり、位置情報取得部１０２ａが取得した位置情報に応じて、タイムゾーンを管理し時差などを加味した時刻表示としてもよい。
【００７３】
データ蓄積部１２２は、各種データを蓄積する記憶装置であり、撮影された画像データＤ１や、コンテンツサーバー３から取得された加工用データ、これらが合成された合成画像データ、及び各画像データＤ１に加工を施した編集データ（例えば、フェイスシール）などが蓄積されている。また、このデータ蓄積部１２２では、付加情報処理部１０５により付加された属性情報（タグ情報）に応じて、画像データＤ１を、複数のフォルダ１２２ａ〜ｃに振り分けて格納する。なお、本実施形態では、タグ情報に応じたフォルダに振り分けて画像を蓄積するようにしたが、本発明はこれに限定されるものではなく、実際の格納場所は、基本設定で指定された一般的なフォルダー（例えば、「マイピクチャ」など）とし、一覧表示やアルバム表示に際し、各画像に付加されたタグ情報に基づいた振り分けを擬似的に実行し、分類表示することが好ましい。
【００７４】
顔検出部１０９は、目、鼻、口などにより形成される一定の幾何学的形状を抽出して、人物の顔部分を検出するとともに、検出した顔部分の、基本画像中における座標位置を算出するモジュールである。この顔検出処理は、撮影操作の前段階から実行され、図１０（ａ）に示すように、検出された顔がファインダー画面上にマーキング４０８ａとして強調され、その被写体までの距離を測定し、その距離に応じたフォーカシングを行うオートフォーカス機能とも連動するようになっている。
【００７５】
なお、この顔検出部１０９は、撮影対象となる人物の笑顔など、所定の表情を認識する表情認識部１０９ａを有しており、撮影時のモニター映像の中から顔部分及びその表情を認識し、その認識結果をシャッター制御部１０７に入力する機能を備えている。シャッター制御部１０７は、入力された認識結果に応じて撮像部１０６に、シャッター動作を実行させる制御信号を入力する。この顔検出部１０９や表情認識部１０９ａによって認識された顔の特徴や表情に関する情報を上記タグ情報に記述し、各画像を、画像内の人物で分類したり、表情の種別で分類したりすることができる。顔の特徴に関しては、例えば、アドレス帳に登録されたフェイスシールを照合して、人物を特定するようにしてもよい。
【００７６】
また、携帯端末１において、編集処理系のモジュールとして、編集処理部１１０と、編集データ生成部１１１とを備えている。
【００７７】
編集処理部１１０は、操作者の操作に従って、各種編集処理を実行するモジュールであり、ＧＵＩと連動して、タッチペンなどで画像上に絵を描き加えたり、文字等を書き込んだり等のフォトレタッチ処理の他、撮影した基本画像に対してフレーム画像や背景画像などの画像を合成する画像合成処理を行うことができる。また、この編集処理部１１０では、各画像に対応付けられたタグ情報を一覧表示し、追加、削除、変更等の編集をする機能も備えている。
【００７８】
また、この編集処理部１１０は、電子メールを生成し、通信Ｉ/Ｆ１０１を通じて送信する電子メール生成部１１０ａも備えている。この電子メール生成部１１０ａは、画像データ蓄積部１２２に蓄積された画像や、撮影された画像Ｄ１を、電子メールに添付して送信する機能であり、画像データのタグ情報に基づいて、必要事項が記述された電子メールを自動生成することができる。例えば、タグ情報に記述された、写真に写っている人物を読み出し、その人物をアドレス帳から検索し、そのアドレス帳から検出されたメールアドレスや氏名を、電子メールの宛先アドレスとして自動的に記述する。また、タグ情報に記述された情報、或いは関連づけられたスケジュール情報（履歴情報）から、その画像が撮影された時の場所や、時刻、イベント内容を抽出して文章を作成し、その文章を電子メールの本文やタイトルに引用するようにしてもよい。
【００７９】
また、電子メール生成部１１０ａは、メール本文の編集中に、フェイスシールを絵文字として挿入する機能も備えている。例えば、辞書変換機能に、人物の氏名とフェイスシール挿入処理とを関連づけておき、文章中にその人物の氏名が記載されると、自動的にフェイスシールとして変換或いは挿入するようにしてもよい。
【００８０】
また、電子メール生成部１１０ａは、電子メールを生成する際に、スケジュールの内容を引用して、電子メールを自動的に挿入する機能も備えている。例えば、スケジュールに記載された予定に関係する人物の氏名から、アドレス帳を検索し、その人物のメールアドレスを宛先とし、予定にあるイベント内容から電子メールのタイトルや本文を作成する。
【００８１】
編集データ生成部１１１は、上記編集処理部１１０により編集操作の結果である編集データを生成するモジュールであり、生成されたデータはデータ蓄積部１２２に蓄積される。また、この編集データ生成部１１１は、編集処理された画像データとともに、これと関連するタグ情報もデータ蓄積部１２２に蓄積する。編集データ生成部１１１は、画像合成部１１１ａを備えており、この画像合成部１１１ａは、撮像部１０６が撮像した画像を基本画像Ｄ１１とし、この基本画像Ｄ１１に対して、他の画像データＤ１２を合成する。この画像合成部１１１ａによる合成処理も、上記編集処理部１１０に対する編集操作によって制御することができる。
【００８２】
また、この画像合成部１１１ａは、顔検出部１０９が検出した顔部分を特定の形状の画像データＤ１であるフェイスシールに変換するフェイスシール生成部の機能を備えている。このフェイスシールは、顔検出部１０９が検出した顔部分の座標位置を基準として、基本画像に対し、例えば着ぐるみの画像データＤ１などを重ね合わせたり、画像の切り出しを行い、図１０（ｂ）に示すような様々な形状のアイコン画像データとして生成される。なお、このフェイスシールの生成処理は、デフォルトでは顔検出部１０９が顔部分を検出した場合に自動的に実行されるようになっている。このため、ユーザーが意識的にフェイスシールを手動で生成することもでき、さらには顔部分が撮影される毎に自動的にフェイスシールが生成され、蓄積されるようになっている。
【００８３】
また、このフェイスシールの作成に際し、画像合成部１１１ａは、図１３（ａ）〜（ｃ）に示すように、顔検出部１０９により検出された顔部分１０７ｂの座標位置を基準として、撮影された基本画像Ｄ１１に対して、位置情報に応じたその土地々々のキャラクターのかぶり物をモチーフとした付加画像を合成するようにしてもよい。この付加画像は、携帯端末１内に予めインストールされて保存しておいてもよく、コンテンツサーバー３からダウンロードするようにしてもよい。
【００８４】
なお、この画像合成部１１１ａで生成されたフェイスシールは、アドレス帳に登録された人物と関連づけて蓄積することができ、各人物に関連する操作やデータに、その人物のフェイスシールを利用することができる。例えば、アドレス帳のインデックスとしてフェイスシールを表示したり、フォトアルバムのインデックスとしてフェイスシールをアイコン表示させたりすることもできる。また、このフェイスシールは、電子メールを作成する際に、各人物を意味する絵文字として用いることもでき、アドレス帳に登録された人物名を電子メール内に記述すると、その人物名を自動的に検出してフェイスシールを、文章内に追加するようにしてもよい。
【００８５】
前記携帯端末１において、ユーザーインターフェース系のモジュールとして、操作信号取得部１０８と、表示制御部１１２と、画像表示部１１３とを備えている。
【００８６】
操作信号取得部１０８は、ユーザー操作に基づく操作デバイスからの操作信号を取得し、操作信号に応じた実行命令をシャッター制御部１０７や編集処理部１１０に入力するモジュールである。ここでの操作デバイスとしては、タッチパネルや操作ボタン、加速度センサなどが含まれる。この操作信号は、操作対象となる各モジュールに送出されるとともに、動作履歴記録部１２３に送信されログデータＤ３として蓄積される。
【００８７】
表示制御部１１２は、ＧＵＩである画像表示部１１３に表示される画像データを生成するモジュールであり、撮影時においては、撮像部１０６が撮影しているファインダー画像を表示したり、編集時においては、操作信号取得部１０８が取得したユーザー操作信号に基づくアイコン等の画像の変化を表示する。なお、この表示制御部１１２によるアイコンの表示方法としては、図１４に示すように、アイコン６０１を、画像表示部１１３上に、螺旋状（渦巻き状）に配置し、ユーザーの回転操作により、渦巻きが右回り又は左回りすることにより、アイコンが拡大しながら中央から外方へ、又はアイコンが縮小しながら外方から中央へと、その大きさを拡大・縮小しながら移動するようにしてもよい。このユーザーの回転操作としては、例えば、回転操作するためのホイール部を携帯電話機本体に物理的に設けるか、或いは、タッチパネル上での指示点の回転移動をその操作として検出するか等が考えられる。
【００８８】
また、表示制御部１１２には、画像データ蓄積部１２２に蓄積された複数の画像を順番に連続的に再生するスライドショー機能が備えられている。このスライドショー機能では、上述したフォトアルバム単位で再生することができ、このスライドショーの再生に際し、種々の演出を施すことができる。
【００８９】
このスライドショーの演出としては、例えば、フォトアルバムの分類の基準となっているタグ情報を照合し、そのタグ情報に関連する情報（撮影された場所、時刻、撮影モード、その時刻のスケジュールや、その場所に関するご当地情報など）を合わせて表示することができる。具体的には、フォトアルバムが旅行に関するものであるときには、スライドショーのイントロダクションとして、その旅行先のご当地情報、地図、ナビゲーション履歴に基づく移動軌跡などを表示してもよい。また、スライドショーに含まれる画像の表示順序を、撮影時刻の順序とすることもできる他、撮影モードがプリクラカメラなどのときにスライドショーのフレームをプリクラノートのように変更するなど、撮影モードに応じた演出を実行するようにしてもよい。
【００９０】
また、本実施形態に係る表示制御部１１２は、データ蓄積部１２２に蓄積されたデータの属性情報をフェイスシール５０１ａ〜５０１ｃとして表示する機能を備えている。例えば、カメラで撮影された画像に写っている人物を属性情報（タグ情報）として記録されている場合に、その人物を示すアイコンとしてフェイスシールを表示する。このタグ情報とフェイスシールの関連づけは、例えば、アドレス帳のデータを基準とすることができる。すなわち、アドレス帳に登録されている人物を基準として、その人物に撮影画像や、フェイスシールを対応付けて記録する。
【００９１】
また、表示制御部１１２は、データ蓄積部１２２内に蓄積されたデータを検索して読み出す機能も備えており、ＧＵＩ上において、カレンダーＵＩやメール閲覧ＵＩ（図１０（ｃ）及び（ｄ））上で操作選択することにより、該当するデータを読み出すことができる。
【００９２】
なお、上記撮影モード設定部１０４は、顔検出部１０９による顔部分の検出処理、及び画像合成部１１１ａのフェイスシール生成機能等による画像データの変換処理を含む動作モードを選択可能であり、動作履歴記録部１２３は、撮影モード設定部１０４が選択した検出処理及び変換処理とを含む動作モードの履歴を動作履歴に含めて記録する。
【００９３】
（画像撮影方法）
以上の構成を有する画像撮影機能を動作させることによって、本実施形態に係る画像撮影方法を実施することができる。図１１は、本実施形態に係る画像撮影機能の動作を示すフローチャート図である。
【００９４】
先ず、ループ処理により周期的に、自機の位置情報及び現在の時刻情報を取得するとともに（Ｓ３０１及びＳ３０２）、スケジュール情報Ｄ２を参照し、スケジュールされた場所・時刻にあるか否か、或いは予定外の場所・時刻にユーザーが自主的に操作を開始したか否かを判断する（Ｓ３０３及びＳ３０４）。ユーザーが操作をせず、所定の時刻が到来しない限り、待機状態となる（Ｓ３０３及びＳ３０４における“Ｎ”）。
【００９５】
なお、このステップＳ３０４におけるスケジュールは、上述した操作レッスンのチュートリアル開始の予定であってもよい。すなわち、チュートリアル情報１２４ａには、撮影モードの使用例に関する情報が、位置情報及び時刻情報と関連付けて記憶されており、このチュートリアル情報１２４ａに含まれる位置情報、時刻情報、及び使用例に応じた予定内容の種別を、ユーザーの予定としてスケジュール情報に追加することによって、未使用の撮影モードの操作レッスンが、ユーザーの予定としてスケジュールされることとなる。
【００９６】
そして、予定の時刻が到来する前に、ユーザーも自主的な撮影開始操作があった場合には（Ｓ３０３における“Ｙ”）、ユーザーが選択した撮影モードにより撮影を実行し（Ｓ３０５及びＳ３０７）、その撮影モードをログデータＤ３に追記する（Ｓ３０８）。なお、本実施形態では、予め、位置情報及び時刻情報と、撮影モードとが関連付けられたテーブルデータが、撮影モード設定として撮影時設定記憶部１０３に記憶されており、撮影モード設定ステップ（Ｓ３０５）では、撮影時情報取得ステップ（Ｓ３０１）で取得した撮影時情報に応じて、モード設定Ｔ１を参照し、参照されたモード設定テーブルＴ１を撮像部１０６に対して設定する。
【００９７】
一方、ステップＳ３０４において、スケジュールされた場所・時刻となったときには（ステップＳ３０４における“Ｙ”）、自動的に撮影モードを選択し、撮影動作を促し（Ｓ３０６）、撮影操作があったときには（Ｓ３０７）、その撮影モードをログデータＤ３に追記する（Ｓ３０８）。なお、スケジュール情報には、ユーザーの予定に関する位置情報、時刻情報及び予定内容の種別が記録されており、撮影モード設定ステップ（Ｓ３０６）では、モード設定を参照する際に、スケジュール情報Ｄ２に含まれる位置情報、時刻情報及び予定内容の種別に基づいて、撮像部に対する撮影モードの設定をする。スケジュール情報Ｄ２には、例えば「誕生日」であるとか「海外旅行」といったように予定の内容が記載されていることから、その予定の内容の種別をキーワードとすることにより、より正確な撮影モードを設定することができる。
【００９８】
そして、撮影がされた場所・時刻及び撮影モードを含む属性情報に応じて、画像データＤ１を振り分けてデータ蓄積部１２２の各フォルダ１２２ａ〜ｃ等に格納する。この各フォルダ１２２ａ〜ｃに格納された画像データＤ１を、各画像の属性情報に応じたアイコン表示によって、カレンダーＵＩで一覧表示することができる。具体的に、このカレンダーの表示では、現在の日にちを境界として、現在の日にちよりも前の月日部分を、データ蓄積部１２２に格納された画像データＤ１の一覧表示とし、現在の日にちよりも後の月日部分をスケジュール記憶部１２１に記憶されたスケジュール情報Ｄ２の表示とする。このカレンダーやスケジュールの表示としては、図１４に示すように、カレンダーの日にちをアイコン６０１として渦巻き状に配置し、ユーザーによる回転操作により螺旋表示を前進後退させて、表示範囲を変更させるようにしてもよい。
【００９９】
なお、この撮影に際しては、人物の顔部分を特定の形状の画像データに変換したフェイスシールを生成することができ、このフェイスシールは、アイコン画像として、カレンダーＵＩ内に自由に貼り付けることができる。
【０１００】
また、フェイスシールは、画像のタグ情報や、アドレス帳、スケジュール等と関連づけることができる。例えば、タグ情報に、撮影した画像データの属性情報に関連づけて、その撮影時刻に対応するスケジュールの内容（場所、参加者、イベント内容）を記録することができる。さらに、このタグ情報としては、画像に写っている人物の顔を認識し、その顔の特徴を含めることができる。この顔の特徴は、例えば、アドレス帳に設定されているフェイスシールなどを参照して、人物を特定し、アドレス帳などに関連づけて記録することもできる。また、この顔認識に際し、笑顔などの表情を認識するようにし、その表情をタグ情報に含めるようにしてもよい。この場合には、例えば、笑顔認識で撮影した画像を「スマイル」というタグ情報により分類し、笑顔の画像が集合されたアルバムを自動生成することができる。
【０１０１】
（合成画像撮影方法）
さらに、上述した画像合成部１１１ａは、コンテンツサーバー３とのデータ送受信により、特定の地域に固有の付加データをダウンロードして、上記フェイスシールの画像データにその地域固有の画像データを合成する機能を備えている。図１２は、本実施形態に係る画像合成部１１１ａの動作を示すフローチャート図である。
【０１０２】
先ず、撮像部１０６により画像を撮影する（Ｓ４０１）。この撮影に際し、本実施形態では、撮像部１０６により常にファインダー画像を監視する「自動撮影モード」を実行してもよい。このモードでは、撮像部１０６において撮されるファインダー画像に対して、表情認識部１０９ａにより、撮影対象となる人物の、例えば笑顔などの所定の表情を認識する表情認識を行い、笑顔を認識した瞬間に、自動的に撮影処理を実行する。  
ステップＳ４０１において、撮像部１０６により撮影された画像データは、基本画像としてデータ蓄積部１２２に記録され（Ｓ４０２）、基本画像内において、顔の検出が行われる（Ｓ４０３）。この顔部分の検出に際し、顔検出部１０９では、検出した顔部分の基本画像中における座標位置を算出しておく。
【０１０３】
また、この撮影操作に応じて、撮影時における自機の位置情報が取得され、記録されるとともに、この位置情報がコンテンツサーバー３に送信される（Ｓ４０４）。この位置情報を受信したコンテンツサーバー３は（Ｓ５０１）は、受信した撮影時の位置情報に基づいて、地域画像蓄積データベースから、位置情報に関連付けられた地域画像データを検索し（Ｓ５０２）、選択した画像を返信する（Ｓ５０３）。なお、このコンテンツサーバー３による地域画像データの配信は、地域画像データが携帯端末１に予めインストールされ、携帯端末１内に保存されている場合には省略することができる。したがって、上記ステップＳ４０４及びＳ５０１〜５０３の処理は、携帯端末１側で自機内のコンテンツデータを検索し、自機内に保存されていない場合に実行するようにしてもよい。
【０１０４】
なお、このコンテンツサーバ３から配信される各地域独自のコンテンツとしては、上記地域画像データの他、その地域に関するトピックス（観光スポット、特産物、店舗情報、その他のニュース）をランキングした「おすすめ情報」や、地図データが含まれ、これらの情報は、上述したチュートリアルや、撮影した画像のフォトアルバム、画像再生時のスライドショーの演出などに利用することができる。
【０１０５】
地域画像データを受信し、または自機内におけるデータを読み出して地域画像データを取得したカメラ側は（Ｓ４０５）、基本画像Ｄ１１に対して、取得された地域画像データＤ１２を合成する（Ｓ４０６）。この画像合成に際し、画像合成部１１１ａは、顔検出部１０９により検出された顔部分の座標位置を基準として、基本画像Ｄ１１に対して地域画像データＤ１２を合成する。この合成編集の操作は、図１３に示すようなＧＵＩにより行うことができる。本実施形態では、ＧＵＩ上に撮影（若しくは編集）に係る基本画像Ｄ１１が表示されるとともに、取得された地域画像データのアイコン１１６２が、アイコンエリア１１６１内に複数列記され、これらのアイコン１１６２を、例えばポインタ１１６３によってクリックすることにより、合成される地域画像データＤ１２を選択することができる。
【０１０６】
このようにして撮影又は編集されて蓄積された画像データに対しては、他のフォトレタッチ処理等の編集操作を施すことができる（Ｓ４０７）。その後、編集作業を終了することにより（Ｓ４０８における“Ｎ”）、編集された画像データが保存される（Ｓ４０９）。
【０１０７】
この画像データの保存に際し、本実施形態では、位置情報と関連付けてデータ蓄積部１２２に蓄積する。このとき、蓄積された画像の位置情報をインデックス情報（タグ情報）として生成する（Ｓ４１０）とともに、ＧＵＩ上にアイコンとして表示する。そして、ＧＵＩに表示されたインデックス（タグ情報）を選択することにより、該当する画像や関連するデータ若しくはプログラムをデータ蓄積部１２２から検索して読み出す、又は起動することができる。そして、このようにして生成されたフェイスシールは、ＧＵＩにおいて、インデックスアイコンをタッチ操作等の選択操作によって読み出して閲覧することができる。
【０１０８】
（本実施形態における作用・効果）
以上説明した実施形態によれば、ユーザー毎に異なる未使用の機能の案内及び操作説明等を、使用例に関する情報としてスケジュール情報Ｄ２に追加するので、ユーザーが不知又は不明であった機能の操作レッスンを、ユーザーの予定としてスケジュールすることができる。この結果、適切な時間帯においてチュートリアルモードを自動的に開始させ、未使用であった機能の利用をユーザーに促すことができる。
【０１０９】
本実施形態では、カレンダーＵＩが、現在の日にちを境界として、現在の日にちよりも前の月日部分を、画像データ蓄積部に格納された画像データＤ１の一覧表示とし、現在の日にちよりも後の月日部分をスケジュール記憶部に記憶されたスケジュール情報の表示としていることから、過去に関しては、月日毎の画像データＤ１などの日記帳としての機能を持つことができ、未来については、ユーザーの予定を記載及び表示することが可能なので、手帳としてのスケジュール機能を持つことができる。そして、これらの表示は、現在の日にちを境界として１つのカレンダーに表示されるため、日記帳と手帳のＧＵＩを１つにまとめることができ、見やすさを向上させることができるとともに、表示面積を縮小でき、限られた面積の表示部を有効に活用することができる。
【０１１０】
さらに本実施形態では、ユーザーが撮影した画像の人物の顔を部分的に検出し、アイコンなどに利用可能なフェイスシールとして保存することができるので、各ユーザーが人物の顔部分を様々な用途に使用することができる。さらに、検出処理及び変換処理とを含む撮影モードについても撮影時設定記憶部に記憶していることで、撮影モードの撮影時のおける自動設定や、未使用時のチュートリアル設定も可能となる。
【０１１１】
（変更例）
上記実施形態では、動作履歴の記録や解析、チュートリアル情報の蓄積や、選択をユーザー端末内に備えられたモジュールで行うようにしたが、本発明はこれに限定されるものではなく、チュートリアル記憶部１２４及び動作履歴解析部１１４ｂを、インターネット２上に設置されコンテンツサーバー３上に設けてもよい。この場合には、ユーザー端末側のチュートリアル取得部１１４ａは、インターネット２を通じて、動作履歴に基づいて未使用の機能モジュールのチュートリアル（使用例）を取得するようにしてもよい。
【０１１２】
この場合には、機能モジュールの動作履歴による撮影時の位置情報、時刻情報等をサーバー上に集約することができるので、情報を分析し、個々のユーザーに対する未使用の機能モジュールの使用例を、種々設定することができ、よりユーザーに適切な未使用の機能モジュールの使用例を提供することが可能となる。また、サーバー上において動作履歴の解析や、チュートリアルのためのコンテンツデータを蓄積することから、ユーザーの処理負担を軽減し、及びメモリ容量の有効利用を図ることができる。
【符号の説明】
【０１１３】
Ｄ１…画像データ
Ｄ１１…基本画像
Ｄ１２…地域画像データ
Ｄ２…スケジュール情報
Ｄ３…ログデータ
Ｔ１…モード設定テーブル
１…携帯端末
２…インターネット
３…コンテンツサーバー
２１…衛星
２２…無線基地局
３１…地域画像蓄積部
１０２…撮影時情報取得部
１０２ａ…位置情報取得部
１０２ｂ…時計部
１０３…撮影時設定記憶部
１０４…撮影モード設定部
１０５…付加情報処理部
１０６…撮像部
１０７…シャッター制御部
１０７ｂ…顔部分
１０８…操作信号取得部
１０９…顔検出部
１０９ａ…表情認識部
１１０…編集処理部
１１０ａ…電子メール生成部
１１１…編集データ生成部
１１１ａ…画像合成部
１１２…表示制御部
１１３…画像表示部
１１４…チュートリアル設定部
１１４ａ…チュートリアル取得部
１１４ｂ…動作履歴解析部
１１６…操作デバイス
１２１…スケジュール記憶部
１２２…データ蓄積部
１２２ａ〜ｃ…フォルダ
１２３…動作履歴記録部
１２４…チュートリアル記憶部
１２４ａ…チュートリアル情報
【図１】
0005611829.tif 000002
【図２】
0005611829.tif 000003
【図３】
0005611829.tif 000004
【図４】
0005611829.tif 000005
【図５】
0005611829.tif 000006
【図６】
0005611829.tif 000007
【図７】
0005611829.tif 000008
【図８】
0005611829.tif 000009
【図９】
0005611829.tif 000010
【図１０】
0005611829.tif 000011
【図１１】
0005611829.tif 000012
【図１２】
0005611829.tif 000013
【図１３】
0005611829.tif 000014
【図１４】
0005611829.tif 000015